(57)【要約】【課題】前後のスクリーンの透光部が重なったときにおけるモアレの発生を抑制可能としたロールスクリーンおよびロールスクリーン用スクリーンを提供する。【解決手段】前後方向に並列した第１スクリーン５ａおよび第２スクリーン５ｂを昇降可能とするロールスクリーンにおいて、第１スクリーン５ａおよび第２スクリーン５ｂの各々は、昇降方向に交互に並んでレース部８とドレープ部９とを備え、レース部８の各々を構成する領域は、当該領域内で生地組織が異なるように構成されており、第１スクリーン５ａおよび第２スクリーン５ｂは、第１スクリーン５ａのレース部８と第２スクリーン５ｂのドレープ部９が重なった遮光状態と、第１スクリーン５ａおよび第２スクリーン５ｂのレース部８同士およびドレープ部９同士が重なった透光状態とに切り替わり、遮光状態と透光状態との間を相対移動する際に重なっているレース部８同士は、異なる生地組織が重なっている。【選択図】図３
2020020131.tif 000002
【特許請求の範囲】
【請求項１】
前後方向に並列した第１スクリーンおよび第２スクリーンを昇降可能とするロールスクリーンにおいて、
前記第１スクリーンおよび前記第２スクリーンの各々は、昇降方向に交互に並んでレース部とドレープ部とを備え、
前記レース部の各々を構成する領域は、当該領域内で組織が異なるように構成されており、
前記第１スクリーンおよび前記第２スクリーンは、前記第１スクリーンのレース部と前記第２スクリーンの前記ドレープ部が重なった遮光状態と、前記第１スクリーンおよび前記第２スクリーンの前記レース部同士および前記ドレープ部同士が重なった透光状態とに切り替わり、
前記遮光状態と前記透光状態との間を相対移動する際に重なっている前記レース部同士は、異なる組織の部分が重なっている
ロールスクリーン。
【請求項２】
前記レース部の各々を構成する領域では、前記組織が緯エレメントおよび経エレメントで構成され、前記緯エレメントの密度が前記昇降方向に漸次異なっている
請求項１に記載のロールスクリーン。
【請求項３】
前記レース部の各々を構成する領域では、前記組織が緯エレメントおよび経エレメントで構成され、前記緯エレメントが不規則に揺らぐように配置されている
請求項１に記載のロールスクリーン。
【請求項４】
前記組織は生地組織である
請求項２または３に記載のロールスクリーン。
【請求項５】
前記第１スクリーンと前記第２スクリーンとは１枚の連続スクリーンで構成されており、
前記連続スクリーンは、下端部に配置されたウェイトバーにおいて折り返されることによって、前記第１スクリーンと前記第２スクリーンとを構成する
請求項１ないし４のうち何れか１項に記載のロールスクリーン。
【請求項６】
前記ドレープ部が前記レース部よりも低い透光性を有する場合において、
さらに前記ドレープ部の各々を構成する領域も、当該領域内で組織が異なるように構成されており、
前記遮光状態と前記透光状態との間を相対移動する際に重なっている前記ドレープ部同士も、異なる組織の部分が重なっている
請求項１ないし５のうち何れか１項に記載のロールスクリーン。
【請求項７】
ロールスクリーンにおける前後方向に並列する第１スクリーンと第２スクリーンとを折り返して構成するロールスクリーン用スクリーンであって、
前記第１スクリーンおよび前記第２スクリーンの昇降方向となる方向に交互に並んでレース部とドレープ部とを備え、
前記レース部の各々を構成する領域は、当該領域内で組織が異なるように構成されている
ロールスクリーン用スクリーン。
【発明の詳細な説明】
【技術分野】
【０００１】
本発明は、複数枚のスクリーンを重ね合わせた状態で吊下支持し、そのスクリーンの重なり方を調節することにより、室内への採光量を調整可能としたロールスクリーンおよびロールスクリーン用スクリーンに関する。
【背景技術】
【０００２】
二重に重ね合わせたスクリーンを上下方向に相対移動させて室内への採光量を調節可能としたロールスクリーンがある（特許文献１参照）。このようなロールスクリーンでは、スクリーンに、光を一部透過させるレース部と、光を遮るドレープ部とが縞状に交互に形成され、このスクリーンが二重に重ね合わされた状態で吊下支持されている。そして、操作手段の操作により、前後のスクリーンを上下方向に相対移動させて、レース部とドレープ部との重なり具合を調整することにより、採光量が調節可能となっている。
【先行技術文献】
【特許文献】
【０００３】
【特許文献１】特開２０１８−３５４１号公報
【発明の概要】
【発明が解決しようとする課題】
【０００４】
ところで、各スクリーンのレース部は、同じ組織（例えば生地組織）で構成されているため、前後のスクリーンが相対移動されたときモアレ（干渉縞）が発生するおそれがある。
【０００５】
本発明は、上記課題を解決するためになされたものであり、その目的は、前後のスクリーンが重なったときに生じるモアレの発生を抑制可能としたロールスクリーンおよびロールスクリーン用スクリーンを提供することにある。
【課題を解決するための手段】
【０００６】
上記課題を解決するためのロールスクリーンは、前後方向に並列した第１スクリーンおよび第２スクリーンを昇降可能とするロールスクリーンにおいて、前記第１スクリーンおよび前記第２スクリーンの各々は、昇降方向に交互に並んでレース部とドレープ部とを備え、前記レース部の各々を構成する領域は、当該領域内で組織が異なるように構成されており、前記第１スクリーンおよび前記第２スクリーンは、前記第１スクリーンのレース部と前記第２スクリーンの前記ドレープ部が重なった遮光状態と、前記第１スクリーンおよび前記第２スクリーンの前記レース部同士および前記ドレープ部同士が重なった透光状態とに切り替わり、前記遮光状態と前記透光状態との間を相対移動する際に重なっている前記レース部同士は、異なる組織の部分が重なっている。
【０００７】
上記ロールスクリーンにおいて、前記レース部の各々を構成する領域では、前記組織が緯エレメントおよび経エレメントで構成され、前記緯エレメントの密度が前記昇降方向に漸次異なっているようにしてもよい。
【０００８】
上記ロールスクリーンにおいて、前記レース部の各々を構成する領域では、前記組織が緯エレメントおよび経エレメントで構成され、前記緯エレメントが不規則に揺らぐように配置されているようにしてもよい。
【０００９】
上記ロールスクリーンにおいて、前記組織は例えば生地組織である。
上記ロールスクリーンにおいて、前記第１スクリーンと前記第２スクリーンとは１枚の連続スクリーンで構成されており、前記連続スクリーンは、下端部に配置されたウェイトバーにおいて折り返されることによって、前記第１スクリーンと前記第２スクリーンとを構成するようにしてもよい。
【００１０】
上記ロールスクリーンにおいて、前記ドレープ部が前記レース部よりも低い透光性を有する場合において、前記ドレープ部の各々を構成する領域も、当該領域内で組織が異なるように構成されており、前記遮光状態と前記透光状態との間を相対移動する際に重なっている前記ドレープ部同士も、異なる組織の部分が重なっているようにしてもよい。
【００１１】
上記課題を解決するためのロールスクリーン用スクリーンは、ロールスクリーンにおける前後方向に並列する第１スクリーンと第２スクリーンとを折り返して構成するロールスクリーン用スクリーンであって、前記第１スクリーンおよび前記第２スクリーンの昇降方向となる方向に交互に並んでレース部とドレープ部とを備え、前記レース部の各々を構成する領域は、当該領域内で組織が異なるように構成されている。
【発明の効果】
【００１２】
本発明によれば、前後のスクリーンの透光部が重なったときにおけるモアレの発生を抑制することができる。
【図面の簡単な説明】
【００１３】
【図１】第１実施形態におけるロールスクリーンの正面図。
【図２】第１実施形態におけるロールスクリーンの断面図。
【図３】第１スクリーンおよび第２スクリーンとウェイトバーとの関係を示す要部斜視図。
【図４】第１スクリーンおよび第２スクリーンに使用されるロールスクリーン用スクリーンの要部平面図。
【図５】（ａ）は透光状態を示す図、（ｂ）は遮光状態を示す図。
【図６】第１実施形態におけるロールスクリーンにおける操作装置のギヤ機構を示す側面図。
【図７】（ａ）および（ｂ）は、ギヤ機構の動作を示す図。
【図８】図４の例とは逆に、各透光部における緯糸が上端から下端に向かって漸次密度が高くなるように経糸に対して交差されたロールスクリーン用スクリーンの要部平面図。
【図９】第２実施形態における第１スクリーンおよび第２スクリーンに使用されるスクリーン用シートの要部平面図。
【図１０】第３実施形態におけるロールスクリーンの要部斜視図。
【発明を実施するための形態】
【００１４】
以下、本発明が適用されたロールスクリーンについて図面を参照して説明する。
〔第１実施形態〕
図１および図２に示すように、第１実施形態のロールスクリーンは、調光型ロールスクリーンである。ロールスクリーンは、取付ブラケット１を介して窓枠等の取付面に取着されるフレーム２の両端に支持ブラケット３が取着され、その支持ブラケット３に２本の第１巻取パイプ４ａおよび第２巻取パイプ４ｂが回転可能に支持されている。一例として、第１スクリーン５ａは室外側に位置し、第２スクリーン５ｂは室内側に位置している。
【００１５】
第１巻取軸としての第１巻取パイプ４ａおよび第２巻取軸としての第２巻取パイプ４ｂは、支持ブラケット３に上下方向に所定の間隔を隔てて支持されるとともに、前後方向に僅かにずれた状態で支持されている。上方で室外側に位置する第１巻取パイプ４ａには、第１スクリーン５ａの上縁が取着され、下方で室内側に位置する第２巻取パイプ４ｂには、第２スクリーン５ｂの上縁が取着されている。そして、第１スクリーン５ａおよび第２スクリーン５ｂは、第１巻取パイプ４ａおよび第２巻取パイプ４ｂから近接して重ね合わされた状態で垂下されている。
【００１６】
図３に示すように、第１スクリーン５ａおよび第２スクリーン５ｂの下縁は、ウェイトバー６に取着され、そのウェイトバー６の両端は上方を開口したボトムカバー７に支持されている。第１スクリーン５ａおよび第２スクリーン５ｂは、ボトムカバー７内からその開口部へ経て上方へ案内されている。
【００１７】
第１スクリーン５ａおよび第２スクリーン５ｂの各々は、光を透過する透光部としてのレース部８と、光を遮光する遮光部としてのドレープ部９が等間隔で上下方向に並設されている。第１スクリーン５ａおよび第２スクリーン５ｂは、１枚の連続スクリーンであって、ウェイトバー６で折り返されることによって、ロールスクリーンの前後方向に並ぶように配置される。図４に示す連続スクリーンの原反となるロールスクリーン用スクリーン１１は、例えば、樹脂が含浸加工された織物、編物、不織布などの生地組織である。生地組織は、柔らかい生地に対して樹脂が含浸加工されることによって、繊維が解れにくくなり、また、皺になりにくくなるので、生地の伸縮を抑制することができる。これにより、平面性または平坦性に優れ、形状安定性に優れた生地とすることができる。また、生地組織は、防炎剤を織り込むことで、防炎性能を付加することも可能である。生地組織は、無地であってもよいし、柄が付いていてもよい。また、生地組織は、刺しゅう付きの生地などであってもよい。
【００１８】
図５（ａ）に示すように、第１スクリーン５ａおよび第２スクリーン５ｂは、レース部８が重なる透光状態ではそのレース部８から外光を採り入れ可能であり、図５（ｂ）に示すように、第１スクリーン５ａおよび第２スクリーン５ｂのレース部８とドレープ部９とが重なる状態では、外光を遮断された遮光状態となる。ドレープ部９は、上下方向における幅が同方向におけるレース部８の幅より広く形成されている。これにより、ドレープ部９は、遮光状態において、確実にレース部８を塞げるようにしている。
【００１９】
生地組織は、経エレメントとしての経糸１２と緯エレメントとしての緯糸１３とで構成されており、経糸の間に緯糸を通し、筬で経糸の位置を整え、緯糸を押し込み、経糸１２と緯糸１３とを交差させて製織される（図３および図４参照）。各レース部８の領域では、当該領域内で組織が異なるように、緯糸１３の密度を位置によって異ならせている。
【００２０】
図４に示すロールスクリーン用スクリーン１１では、各レース部８において、緯糸１３が上端から下端に向かうに連れて漸次密度が低くなるように経糸１２に対して交差されている。したがって、各レース部８では、上下方向において、同じ密度の部分は存在しないことになる。図３に示すように、ロールスクリーン用スクリーン１１は、ウェイトバー６で折り返されることによって、ロールスクリーンの前後方向に並ぶように配置されている。したがって、第１スクリーン５ａの各レース部８は、緯糸１３が上端から下端に向かって漸次密度が低くなるように経糸１２に対して交差されたメッシュとなっている。これに対して、第２スクリーン５ｂの各レース部８は、緯糸１３が上端から下端に向かって漸次密度が高くなるように経糸１２に対して交差されたメッシュとなっている。
【００２１】
図１および図２に示すように、一方の支持ブラケット３には操作装置１６が取着され、その操作装置１６から無端のボールチェーン１７が垂下されている。そして、ボールチェーン１７の操作により、第１巻取パイプ４ａおよび第２巻取パイプ４ｂを同方向に同一速度で回転させて、第１スクリーン５ａおよび第２スクリーン５ｂを一括して昇降可能となっている。
【００２２】
また、第１スクリーン５ａおよび第２スクリーン５ｂを昇降操作した後に、ボールチェーン１７を逆方向に引くと、下方の第２巻取パイプ４ｂのみを所定角度に限り回転させて、第１スクリーン５ａおよび第２スクリーン５ｂを上下方向に相対移動操作可能となっている。
【００２３】
図１および図７（ａ）および（ｂ）に示すように、操作装置１６のケース１８内にはプーリ１９が回転可能に支持され、そのプーリ１９にボールチェーン１７が掛装されている。そして、ボールチェーン１７の操作によりプーリ１９が正逆方向に回転される。
【００２４】
ボールチェーン１７は、無端状に形成されているとともに、第１スクリーン５ａおよび第２スクリーン５ｂの昇降範囲を規制する規制部材１７ａ，１７ｂが取着されている。第１スクリーン５ａおよび第２スクリーン５ｂが上限まで引き上げられたとき、規制部材１７ｂはケース１８の背面側に当接して、ボールチェーン１７の同方向へのそれ以上の操作が阻止される。また、第１スクリーン５ａおよび第２スクリーン５ｂが下限まで下降したとき、規制部材１７ａはケース１８の前面側に当接して、ボールチェーン１７の同方向へのそれ以上の操作が阻止される。
【００２５】
図６に示すように、プーリ１９には、駆動歯車２１が一体に形成され、その駆動歯車２１に噛み合う伝達歯車２２がケース１８に回転可能に支持されている。駆動歯車２１の中心部には、第２巻取パイプ４ｂの伝達軸部２３が挿通され、その伝達軸部２３には、付勢部材としての捩じりコイルスプリング２４が巻着されている。この伝達軸部２３は、捻りコイルスプリング２４が巻着されている部分は円筒状であり、第２巻取パイプ４ｂに係合する先端部分は、第２巻取パイプ４ｂと相対回転不能に嵌合している。
【００２６】
駆動歯車２１には、捩じりコイルスプリング２４の端部２４ａ，２４ｂの近傍に突出する２つの伝達片２５が離間して形成され、駆動歯車２１の回転に基づいて伝達片２５が端部２４ａ，２４ｂに係合すると、駆動歯車２１の回転が第２巻取パイプ４ｂに伝達される。したがって、プーリ１９が回転されると、ほぼ同時に第２巻取パイプ４ｂが回転される。
【００２７】
ケース１８内の上方において、伝達歯車２２に噛み合う被動歯車２６がケース１８に回転可能に支持されている。駆動歯車２１と被動歯車２６の歯数は同数であり、駆動歯車２１の回転に基づいて被動歯車２６は、駆動歯車２１と同方向に同一速度で回転される。
【００２８】
被動歯車２６の中心部には、第１巻取パイプ４ａの伝達軸部２７が挿通され、その伝達軸部２７には、付勢部材としての捩じりコイルスプリング２８が巻着されている。この伝達軸部２７も、捻りコイルスプリング２８が巻着されている部分は円筒状であり、第１巻取パイプ４ａに係合する先端部分は、第１巻取パイプ４ａと相対回転不能に嵌合している。
【００２９】
被動歯車２６には、捩じりコイルスプリング２８の端部２８ａ，２８ｂの回動軌跡上に突出する伝達片２９が形成され、被動歯車２６の回転に基づいて伝達片２９が端部２８ａ，２８ｂの何れかに係合すると、被動歯車２６の回転が第１巻取パイプ４ａに伝達される。
【００３０】
したがって、図７（ａ）に示す状態から被動歯車２６が矢印Ａ方向に回転するとき、伝達片２９が端部２８ａに当接するまでのほぼ２７０度の範囲では、被動歯車２６の回転が第１巻取パイプ４ａに伝達されない。同様に、図７（ｂ）に示す状態から被動歯車２６が矢印Ｂ方向に回転するとき、伝達片２９が端部２８ｂに当接するまでのほぼ２７０度の範囲では、被動歯車２６の回転が第１巻取パイプ４ａに伝達されない。
【００３１】
このような動作により、第１スクリーン５ａおよび第２スクリーン５ｂを一括して昇降操作した後に、ボールチェーン１７を逆方向に操作して、駆動歯車２１を逆方向に回転させたとき、被動歯車２６がほぼ２７０度回転するまでは、第１巻取パイプ４ａは回転されず、第２巻取パイプ４ｂのみが回転される。
【００３２】
なお、第１巻取パイプ４ａおよび第２巻取パイプ４ｂ内には、第１スクリーン５ａおよび第２スクリーン５ｂの巻上時の操作力を軽減するスプリングモーター、第１スクリーン５ａおよび第２スクリーン５ｂの自重降下を防止するストッパ装置などが収容されている。
【００３３】
次に、上記のように構成されたロールスクリーンの動作を説明する。ボールチェーン１７を操作して、第１巻取パイプ４ａおよび第２巻取パイプ４ｂを図６に示す矢印Ｃ方向に回転させると、第１スクリーン５ａおよび第２スクリーン５ｂが第１巻取パイプ４ａおよび第２巻取パイプ４ｂから同一速度で巻き戻され、第１スクリーン５ａおよび第２スクリーン５ｂが下降する。
【００３４】
このとき、第１スクリーン５ａおよび第２スクリーン５ｂのレース部８とドレープ部９が重なった遮光状態で第１スクリーン５ａおよび第２スクリーン５ｂが下降するように第１スクリーン５ａが第１巻取パイプ４ａ取着され、第２スクリーン５ｂが第２巻取パイプ４ｂに取着されている（図５（ｂ）参照）。また、下降時における被動歯車２６の伝達片２９と捩じりコイルスプリング２８の端部２８ａ，２８ｂとの位置関係は図７（ｂ）に示す状態となっており、反矢印Ｂ方向に回転している。
【００３５】
第１スクリーン５ａおよび第２スクリーン５ｂを所望高さまで下降させた後、ボールチェーン１７を逆方向（図６に示す矢印Ｄ方向）に操作すると、被動歯車２６が矢印Ｂ方向に回転し、伝達片２９が図７（ａ）に示す位置に達するまで、第１巻取パイプ４ａは回転されず、第２巻取パイプ４ｂのみが回転される。すると、第１スクリーン５ａおよび第２スクリーン５ｂが上下方向に相対移動して、第１スクリーン５ａおよび第２スクリーン５ｂのレース部８が重なる透光状態となり、外光を採り入れ可能となる（図５（ａ）参照）。
【００３６】
この透光状態からボールチェーン１７をさらに同方向へ操作すると、第１巻取パイプ４ａおよび第２巻取パイプ４ｂが同一速度で回転され、第１スクリーン５ａおよび第２スクリーン５ｂが同一速度で引き上げられる。
【００３７】
以上のような第１実施形態のロールスクリーンは、以下に列挙する効果を得ることができる。
（１−１）第１スクリーン５ａの各レース部８は、緯糸１３が上端から下端に向かって漸次密度が低くなるように経糸１２に対して交差されたメッシュとなっている。これに対して、第２スクリーン５ｂの各レース部８は、緯糸１３が上端から下端に向かって漸次密度が高くなるように経糸１２に対して交差したメッシュとなっている。したがって、遮光状態と透光状態とを切り替える最中に、第１スクリーン５ａの各レース部８と第２スクリーン５ｂの各レース部８とは、上下方向に相対移動するが、同じ密度の部分が重なることが殆どなくなる。すなわち、レース部８において、規則正しい繰り返し模様が重なることが殆どなくなる。これにより、第１スクリーン５ａのレース部８と第２スクリーン５ｂのレース部８とが重なる部分において、モアレの発生を抑制することができる。
【００３８】
（１−２）第１スクリーン５ａおよび第２スクリーン５ｂは１枚のロールスクリーン用スクリーン１１を折り返して構成されているので、第１スクリーン５ａおよび第２スクリーン５ｂに別々のロールスクリーン用スクリーンを使用したときよりも部品点数を削減することができる。また、ロールスクリーンは、第１スクリーン５ａおよび第２スクリーン５ｂの組立工程を容易にすることができる。
【００３９】
なお、第１実施形態のロールスクリーンは、さらに、例えば以下のように適宜変更して実施することもできる。
・図８に示すように、ロールスクリーン用スクリーン１１は、各レース部８の構成が緯糸１３が上端から下端に向かって漸次密度が高くなるように経糸１２に対して交差されたメッシュとしてもよい。すなわち、図８は、レース部８における緯糸１３の密度を図３および図４の例とは逆にしている。この場合、第１スクリーン５ａの各レース部８は、緯糸１３が上端から下端に向かって漸次密度が高くなるように経糸１２に対して交差されたメッシュとなる。これに対して、第２スクリーン５ｂの各レース部８は、緯糸１３が上端から下端に向かって漸次密度が低くなるように経糸１２に対して交差したメッシュとなる。このように、図３および図４に示したレース部８の緯糸１３の構成と逆の構成としても、（１−１）および（１−２）と同様な効果を得ることができる。
【００４０】
・各レース部８における密度は、昇降方向に漸次変化するようにするのではなく、昇降方向に段階的に変化させるようにしてもよい。
〔第２実施形態〕
図９に示すように、第２実施形態のロールスクリーンは、光を透過するレース部８の構成が第１実施形態と異なり、緯糸１３が不規則に揺らぐように経糸１２に対して交差されたメッシュとなっている。第２実施形態においても、第１スクリーン５ａおよび第２スクリーン５ｂは、１枚のロールスクリーン用スクリーン１１で構成され、ウェイトバー６で折り返されることによって、ロールスクリーンの前後方向に並ぶように配置されている。
【００４１】
以上のような第２実施形態のロールスクリーンは、以下に列挙する効果を得ることができる。
（２−１）第１スクリーン５ａおよび第２スクリーン５ｂの各レース部８は、緯糸１３が不規則に揺らぐように経糸１２に対して交差されたメッシュで構成されている。したがって、遮光状態と透光状態とを切り替える最中に、第１スクリーン５ａの各レース部８と第２スクリーン５ｂの各レース部８とは、上下方向に相対移動するが、同じ密度の部分が重なることが無くなる。すなわち、レース部８において、規則正しい繰り返し模様が重なることがなくなる。したがって、第１スクリーン５ａのレース部８と第２スクリーン５ｂのレース部８とが重なる部分において、モアレの発生を抑制することができる。
【００４２】
〔第３実施形態〕
第３実施形態のロールスクリーンは、第１スクリーン５ａおよび第２スクリーン５ｂが別々のスクリーンで構成されている。この点で、第１スクリーン５ａおよび第２スクリーン５ｂが１枚の連続スクリーンで構成された第１実施形態のロールスクリーンと異なっている。
【００４３】
図１０に示すように、第３実施形態のロールスクリーンは、第１スクリーン５ａおよび第２スクリーン５ｂが別々のシートであるため、第１スクリーン５ａの下端部に第１ウェイトバー３１が配置され、第２スクリーン５ｂの下端部に第２ウェイトバー３２が配置されている。
【００４４】
第１スクリーン５ａおよび第２スクリーン５ｂに図４に示すレース部８を備えたロールスクリーン用スクリーン１１を使用する場合、次のように用いられる。すなわち、第１スクリーン５ａでは、各レース部８が上端から下端に向かって漸次経糸１２の密度が低くなるように構成する。この場合、第２スクリーン５ｂは、第１スクリーン５ａの上下を逆にし、各レース部８が上端から下端に向かって漸次経糸１２の密度が高くなるように構成する。これにより、第１スクリーン５ａのレース部８と第２スクリーン５ｂのレース部８とは、第１実施形態の第１スクリーン５ａのレース部８と第２スクリーン５ｂのレース部８と同じ状態となる。
【００４５】
なお、これとは逆に、第１スクリーン５ａでは、各レース部８が上端から下端に向かって漸次経糸１２の密度が高くなるように構成し、第２スクリーン５ｂは、第１スクリーン５ａの上下を逆にし、各レース部８が上端から下端に向かって漸次経糸１２の密度が低くなるように構成しても、同様な効果を得ることができる。
【００４６】
また、第１スクリーン５ａおよび第２スクリーン５ｂに図９に示すレース部８を備えたロールスクリーン用スクリーン１１を使用する場合は、次のように用いられる。図９のロールスクリーン用スクリーン１１のレース部８は、緯糸１３が不規則に揺らぐように経糸１２に対して交差されているので、第１スクリーン５ａに使用する場合と第２スクリーン５ｂに使用する場合とで差はない。この場合、スクリーン用シートは、第１スクリーン５ａと第２スクリーン５ｂに上下関係なく使用することができる。
【００４７】
なお、第１実施形態〜第３実施形態のロールスクリーンは、さらに、例えば以下のように適宜変更して実施することもできる。
・第１スクリーン５ａおよび第２スクリーン５ｂに生地組織のシートを使用する場合において、各々のレース部８には、緯糸１３に様々な太さの糸を使用してもよい。このような構成によっても、互いに重なる第１スクリーン５ａのレース部８と第２スクリーン５ｂのレース部８において、規則正しい繰り返し模様が重なることを防ぐことができ、これにより、モアレの発生を抑えることができる。
【００４８】
・第１スクリーン５ａおよび第２スクリーン５ｂには、生地組織のシートではなく、生地でない（織物でない）合成樹脂シートであってもよい。この場合、レース部８もドレープ部９も印刷により形成されることになる。例えば、ドレープ部９は、明度の低い色のインクを使用してベタ印刷することによって構成することができる。また、レース部８は、第１実施形態や第２実施形態のメッシュ（経エレメントとしての経糸１２と緯エレメントとしての緯糸１３のパターン）を印刷して構成することができる。
【００４９】
・透光状態と遮光状態を切り替えるため、第１スクリーン５ａが第２スクリーン５ｂに対して移動してもよいし、上述のように、第２スクリーン５ｂが第１スクリーン５ａに対して移動してもよいし、更に、第１スクリーン５ａおよび第２スクリーン５ｂの両方が互いに逆方向に移動してもよい。
【００５０】
・第１スクリーン５ａおよび第２スクリーン５ｂにおける生地透過性には、ドレープ部９が構成する遮光部は、ＪＩＳ−Ｌ  １０５５Ａ法によれば、遮光率９９．４０％以上の領域と定義することができ、生地組織の構成によって、１級から３級までがある（１級：遮光率９９．９９％以上、２級：９９．８０％以上９９．９９％未満、３級：遮光率９９．４０％以上９９．８０％未満）。したがって、何れの等級にあっても、若干の透光性を有することになる。ドレープ部９が１級から３級のものであっても、第１スクリーン５ａのドレープ部９および第２スクリーン５ｂのドレープ部９が規則正しい繰り返しの組織である場合、モアレが発生するおそれが生じる。また、３級の遮光率よりも低い遮光率の領域をドレープ部９として使用している場合には、よりモアレが発生し易くなる。そこで、第１スクリーン５ａのドレープ部９および第２スクリーン５ｂのドレープ部９においても、領域内で組織が異なるように構成してもよい。
【００５１】
すなわち、第１スクリーン５ａにおいて、レース部８に加えてドレープ部９も緯糸１３の密度を位置によって異ならせる。例えば、図３に示すロールスクリーンの場合、第１スクリーン５ａにおける各ドレープ部９は、緯糸１３が上端から下端に向かうに連れて漸次密度が低くなるように経糸１２に対して交差させる。そして、第２スクリーン５ｂにおける各ドレープ部９は、緯糸１３が上端から下端に向かうに連れて漸次密度が高くなるように経糸１２に対して交差させる。また、図９に示すように、第１スクリーン５ａのドレープ部９および第２スクリーン５ｂのドレープ部９は、緯糸１３が不規則に揺らぐように経糸１２に対して交差させる。
【００５２】
以上のような構成によれば、ドレープ部９が透光性を有する場合にも、ドレープ部９同士が重なる場合やドレープ部９とレース部８とが重なる場合にも、モアレの発生を抑制することができる。
【００５３】
なお、ドレープ部９が構成する遮光部およびレース部８が構成する透光部の定義は、以上のような遮光率による定義に限定されるものではない。
【符号の説明】
【００５４】
１…取付ブラケット、２…フレーム、３…支持ブラケット、４ａ…第１巻取パイプ、４ｂ…第２巻取パイプ、５ａ…第１スクリーン、５ｂ…第２スクリーン、６…ウェイトバー、７…ボトムカバー、８…レース部、９…ドレープ部、１１…ロールスクリーン用スクリーン、１２…漸次経糸、１２…経糸、１３…緯糸、１５…生地要素、１６…操作装置、１７…ボールチェーン、１８…ケース、１９…プーリ、２１…駆動歯車、２２…伝達歯車、２３…伝達軸部、２４…コイルスプリング、２４ａ…端部、２４ｂ…端部、２５…伝達片、２６…被動歯車、２７…伝達軸部、２８…コイルスプリング、２８ａ…端部、２８ｂ…端部、２９…伝達片、３１…第１ウェイトバー、３２…第２ウェイトバー。
【図１】
2020020131.tif 000003
【図２】
2020020131.tif 000004
【図３】
2020020131.tif 000005
【図４】
2020020131.tif 000006
【図５】
2020020131.tif 000007
【図６】
2020020131.tif 000008
【図７】
2020020131.tif 000009
【図８】
2020020131.tif 000010
【図９】
2020020131.tif 000011
【図１０】
2020020131.tif 000012